(57)【要約】【課題】設置が簡単で、かつ、よりコンパクト化した伸縮端子を提供する。【解決手段】Ｌ型伸縮端子は、その表面に設定温度１３、及び該設定温度１３に対応する取付位置１２とが表示された、リップ溝形状断面を有する伸縮端子用受雷部１０と、該伸縮端子用受雷部１０とアルミ受雷部１００とを接続する継手２０と、その両端に上記継手２０に接続されている上記伸縮端子用受雷部１０を挿入して保持する筒型形状のＬ型ケース３０とを備えた構成とし、まず、設置箇所の温度を計算し、該計算の結果に応じて伸縮端子用受雷部１０のＬ型伸縮端子への取付位置１２を決定し、その取付位置１２にＬ型ケース３０の端部が一致するよう上記伸縮端子用受雷部１０を該Ｌ型ケース３０内に収納するようにした。【選択図】      図７
2004266938.tif 000002
【特許請求の範囲】
【請求項１】
雷撃を受け止めるための突針、及び該突針と電気的に接続される複数の受雷部を、その各々の間をそれぞれ接続端子を介して接続し、建造物を落雷から保護する雷保護システムの温度変化による伸縮を吸収する伸縮端子であって、
該伸縮端子は、
コ字状断面またはリップ溝形状断面を有する伸縮端子用受雷部と、該伸縮端子用受雷部と上記複数の受雷部とを接続する接続端子と、その開放端に上記接続端子に接続されている伸縮端子用受雷部を挿入して保持する筒型形状のケースと、
を備えたものである、
ことを特徴とする伸縮端子。
【請求項２】
請求項１に記載の雷保護システムの伸縮端子において、
上記伸縮端子用受雷部の表面には、所定の温度範囲と該温度範囲内における上記伸縮端子の取付位置とが表示されており、
上記伸縮端子は、上記雷保護システムの設置箇所の温度に基づいて決定された上記接続端子に接続されている伸縮端子用受雷部の表面に表示されている所定の取付位置と、上記ケースの開放端とが一致するよう取り付けられたものである、
ことを特徴とする伸縮端子。
【請求項３】
請求項１に記載の雷保護システムの伸縮端子において、
上記ケースは、Ｉ型形状、Ｌ型形状、Ｔ型形状、十字型形状のいずれかである、
ことを特徴とする伸縮端子。
【請求項４】
請求項１ないし請求項３のいずれか１項に記載の雷保護システムの伸縮端子において、
該伸縮端子は、アルミニウム材の表面をアルマイト加工してなるものである、
ことを特徴とする伸縮端子。
【発明の詳細な説明】
【０００１】
【発明の属する技術分野】
本発明は、建造物等を雷撃から保護するための雷保護システムに関するものであり、特に、雷撃を受け止めるための受雷部の気温変化による伸縮を吸収する伸縮端子に関するものである。
【０００２】
【従来の技術】
建造物の屋上に設置される雷保護システムとは、雷撃を受け止めるための突針、及び該突針と電気的に接続される複数の受雷部を、その各々の間をそれぞれ接続端子を介して接続して、建造物上に設置し、その建造物を落雷から保護するものである。
一般に鉄骨コンクリート造りの建造物を雷撃から保護する避雷装置は、避雷突針を屋上の塔屋に高く設置し、この避雷突針と電気的に接続されている避雷導線を介して地中に埋設した避雷銅板に接続させている。
【０００３】
この避雷突針は長くて重量があるのでこれを支えるために丈夫な支持金具や脚台を必要としその施工が面倒で且つコストも高くなる。また、峯屋根等には避雷銅管を屋根の峯部に水平に設置するようにしたものがあるが、この場合も避雷銅管を確実に峯屋根に固定するための丈夫な取付金具や脚台を必要とすると共に施工が大変面倒であって設置費が高くなる等の問題点がある。
【０００４】
そこで、コンクリートで施工された陸屋根を有する鉄骨コンクリート造りの建築物において、上記陸屋根の屋上面の使用空間を損なうことなく、簡単にしかも安定よく避雷管を設置することができる雷保護システムが開示されている。
【０００５】
ここで、従来の伸縮端子について図１５を用いて説明する。図１５（ａ）は伸縮端子の平面図、図１５（ｂ）はＡＡ´断面図、図１５（ｃ）はＢＢ´断面図である。
従来の伸縮端子は、角Ｃ字型形状の断面を有するケース１と、該ケース１内に蛇行状に収納された軟質部材２と、避雷導線を取り付けるための避雷導線取付部と、軟質部材２と避雷導線取付部４とをボルト５を用いて連結する連結金具３と、軟質部材２をケース１内の所定位置に固定するための固定ボルト６よりなるものである。
【０００６】
なお、避雷導線取付部４の断面外周形状は、図１５（ｃ）に示すように、ケース１の断面内周形状と略同形同大であって、ケース１内の端部に摺動自在に内嵌されるようにしてある
また、固定ボルト６は、図１５（ｂ）に示すように、ケース１と軟質部材２との長手方向中央部に貫通することにより固定するものである。
【０００７】
【非特許文献１】
実用新案公報昭６３−４９０７１号
【０００８】
【発明が解決しようとする課題】
しかしながら、上記従来の伸縮端子は、ボルト５や固定ボルト６を用いているが、何らかの外部からの衝撃によりはずれてしまうおそれがある。また、軟質部材をケース内に蛇行状に収納するのは難しく、時間がかかり、さらに、固定ボルトを用いて固定しなければならず、手間がかかる。
本発明は、上記問題点を解決するためになされたものであり、簡単に設置可能な伸縮端子を提供することを目的とする。
【０００９】
【課題を解決するための手段】
上記課題を解決するために、本発明の請求項１にかかる雷保護システムの伸縮端子は、雷撃を受け止めるための突針、及び該突針と電気的に接続される複数の受雷部を、その各々の間をそれぞれ接続端子を介して接続し、建造物を落雷から保護する雷保護システムの温度変化による伸縮を吸収する伸縮端子であって、該伸縮端子は、コ字状断面またはリップ溝形状断面を有する伸縮端子用受雷部と、該伸縮端子用受雷部と上記複数の受雷部とを接続する接続端子と、その開放端に上記接続端子に接続されている伸縮端子用受雷部を挿入して保持する筒型形状のケースと、を備えたものであることを特徴とするものである。
これにより、アルミ導線などを用いず、組立てるだけで良いので作業者の手間を大幅に削減することができるとともに、ケース内部の空間を利用して受雷部等の伸縮を吸収するので、導線を用いる伸縮端子よりもコンパクト化を図ることができる。
【００１０】
また、本発明の請求項２にかかる雷保護システムの伸縮端子は、請求項１に記載の雷保護システムの伸縮端子において、上記伸縮端子用受雷部の表面には、所定の温度範囲と該温度範囲内における上記伸縮端子の取付位置とが表示されており、上記伸縮端子は、上記雷保護システムの設置箇所の温度に基づいて決定された上記接続端子に接続されている伸縮端子用受雷部の表面に表示されている所定の取付位置と、上記ケースの開放端とが一致するよう取り付けられたものであることを特徴とするものである。
これにより、設置箇所の温度が分かれば、取付位置を目視により簡単に判断することができる。
【００１１】
また、本発明の請求項３にかかる雷保護システムの伸縮端子は、請求項１に記載の雷保護システムの伸縮端子において、上記ケースは、Ｉ型形状、Ｌ型形状、Ｔ型形状、十字型形状のいずれかであるものである。
これにより、さまざまな設置状況に対応させて伸縮端子を設置することができる。
【００１２】
また、本発明の請求項４にかかる雷保護システムの伸縮端子は、請求項１ないし請求項３のいずれか１項に記載の雷保護システムの伸縮端子において、該伸縮端子は、アルミニウム材の表面をアルマイト加工してなるものであることを特徴とするものである。
これにより、耐食性、及び表面の剛性を向上させることができる。
【００１３】
【発明の実施の形態】
以下、本発明の実施の形態について図面を参照しながら説明する。なお、ここで示す実施の形態はあくまでも一例であって、必ずしもこの実施の形態に限定されるものではない。
【００１４】
（実施の形態１）
以下に、本発明の実施の形態１による雷保護システムの伸縮端子について図１〜図１４を用いて説明する。
まず、本実施の形態１にかかる伸縮端子の構成部品について詳細に説明する。
【００１５】
図１は、伸縮端子用受雷部の構成図であり、図１（ａ）は伸縮端子用受雷部の平面図、図１（ｂ）は正面図、図１（ｃ）は底面図、図１（ｄ）は側面図である。
伸縮端子用受雷部１０は、図１（ｄ）に示すリップ溝形状断面（取付口１４）を有する長尺状のものであり、該リップ溝形状断面１４内に接続端子（継手）２０を挿入し、該伸縮端子用受雷部１０と該接続端子２０（図２で示す）とを接続固定可能なものであり、その両端のリップ溝形状断面部１４の上面に、該リップ溝形状断面部１４と該リップ溝形状断面部１４内に挿入される上記接続端子２０とを接続固定するための皿ビス２１を挿入可能なネジ穴１１を有するものである。
【００１６】
なお、ここ示す伸縮端子用受雷部１０はリップ溝形状断面を有するものであるが、コ字状断面を有するものであっても良い。また、伸縮端子用受雷部１０は、その横幅が１６．８ｍｍ、その長さが８０ｍｍ、その厚さが４．３ｍｍ、その高さが８ｍｍである。また、伸縮端子用受雷部１０は、アルミニウム材の表面をアルマイト加工されたものであり、耐食性、及び表面の剛性を向上させることができる。
【００１７】
また、伸縮端子用受雷部１０は、後述する筒型形状ケース（Ｌ型ケース３０、Ｉ型ケース４０、Ｔ型ケース５０、十字型ケース６０）に収納されるものであるが、上表面（図１（ａ）参照）には、伸縮端子の設置場所の温度１３と、該温度１３に対応する、上記筒型形状ケースへ収納される際の伸縮端子用受雷部１０の取付位置１２が表示されている。なお、この温度１３は図１（ａ）のように表示しているが、該温度１３が各取付位置１２と対応していれば、向きや位置は必ずしもこれに限るものではない。また、伸縮端子用受雷部１０には、−４０℃〜８０℃の温度が２０度ごとに表示されるとともに、該温度に対応する伸縮端子の取付位置（７．０５ｍｍ単位）が表示されている。
【００１８】
図２は、継手を示す図であり、図２（ａ）は平面図、図２（ｂ）は正面図である。
継手２０は、伸縮端子用受雷部１０とアルミ受雷部１００とを長手方向に一直線上になるよう皿ネジ２１を用いて接続するものである。なお、継手２０はアルミニウム材の表面をアルマイト加工したものであり、皿ビス２１はアルミ製である。
【００１９】
図３は、Ｌ型ケースを示す図であり、図３（ａ）は平面図、図３（ｂ）は正面図、図３（ｃ）は右側面図である。
Ｌ型ケース３０は、その端部に伸縮端子用受雷部１０を挿入可能な取付口３１を有し、その内部が中空のＬ型形状のケースである。
【００２０】
図４は、Ｉ型ケースを示す図であり、図４（ａ）は平面図、図４（ｂ）は正面図、図４（ｄ）は左側面図である。
Ｉ型ケース４０は、その端部に伸縮端子用受雷部１０を挿入可能な取付口４１を有し、その内部が中空のＩ型形状のケースである。
【００２１】
図５は、Ｔ型ケースを示す図であり、図５（ａ）は平面図、図５（ｂ）は正面図、図５（ｃ）は左側面図である。
Ｔ型ケース５０は、その端部に伸縮端子用受雷部１０を挿入可能な取付口５１を有し、その内部が中空のＴ型形状のケースである。
【００２２】
図６は、十字型ケースを示す図であり、図６（ａ）は平面図、図６（ｂ）は正面図である。
十字型ケース６０は、その端部に伸縮端子用受雷部１０を挿入可能な取付口６１を有し、その内部が中空の十字型形状のケースである。
【００２３】
以上の構成部品を用いて、以下のような伸縮端子を実現可能である。なお、伸縮端子は、その両端に受雷部（アルミ受雷部１００）を挿入して保持可能な筒型形状であり、所定の間隔で設置される。また、伸縮端子形状としては、Ｌ型、Ｉ型、Ｔ型、十字型形状のものがある。
【００２４】
なお、アルミ受雷部１００は、コ字状断面またはリップ溝形状断面を有する長尺状のものであり、その横幅が２０ｍｍ、その長さが４ｍ〜５ｍ、その高さが９．８ｍｍ、その断面積が１００ｍｍ２である。また、その横幅２０ｍｍ、その長さ５ｍ、その高さ８．３ｍｍ、その断面積７０ｍｍ２の伸縮端子用受雷部を用いるようにすれば、雷保護システム全体をよりコンパクトにすることができる。
【００２５】
図７（ａ）はＬ型伸縮端子の平面図、図７（ｂ）は正面図、図７（ｃ）はＡＡ´断面図であり、ここで示されるＬ型伸縮端子は、２つの伸縮端子用受雷部１０と、２つの継手２０と、Ｌ型ケース３０とからなるものであり、継手２０に取り付けられた伸縮端子用受雷部１０をＬ型ケース３０の取付口３１に取り付けたものであり、Ｌ型ケース３０の内部には空間が設けられ、この空間部分を利用することにより、複数のアルミ受雷部１００の伸縮を吸収することができる。
【００２６】
図９（ａ）はＩ型伸縮端子の平面図、図９（ｂ）は一部断面正面図、図９（ｃ）は側面図であり、ここで示されるＩ型伸縮端子は、２つの伸縮端子用受雷部１０と、２つの継手２０と、Ｉ型ケース４０とからなるものであり、図９に示すように、継手２０に取り付けられた伸縮端子用受雷部１０をＩ型ケース４０の取付口４１に取り付けたものである。Ｉ型ケース４０の内部には、上記Ｌ型伸縮端子と同様、空間が設けられ、この空間部分を利用することにより、複数のアルミ受雷部１００の伸縮を吸収することができる。
【００２７】
図１１（ａ）はＴ型伸縮端子の平面図、図１１（ｂ）は正面図であり、ここで示されるＴ型伸縮端子は、３つの伸縮端子用受雷部１０と、３つの継手２０と、Ｔ型ケース５０とからなるものであり、継手２０に取り付けられた伸縮端子用受雷部１０をＴ型ケース５０の取付口５１に取り付けたものである。
なお、Ｔ型ケース５０は、上記Ｉ型ケース４０と、所要の長さに切ったＩ型ケースとを接着することにより作成されるものである。
【００２８】
図１３（ａ）は十字型伸縮端子の平面図、図１３（ｂ）は正面図であり、ここで示される十字型伸縮端子は、４つの伸縮端子用受雷部１０と、４つの継手２０と、十字型ケース６０とからなるものであり、継手２０に取り付けられた伸縮端子用受雷部１０を十字型ケース６０の取付口６１に取り付けたものである。
なお、十字型ケース６０は、上記Ｉ型ケース４０と、所要の長さに切ったＩ型ケース２つを接着することにより作成されるものである。
【００２９】
このような伸縮端子は、図８、図１０、図１２、及び図１４に示すようにアルミ受雷部１００を皿ネジ２１を用いて継手２０に接続し、所定場所に施工され、気温の変化によるアルミ受雷部１００の伸縮を吸収する。なお、設置箇所の温度に応じて伸縮端子用受雷部１０の所定の取付位置１２にケースの端部が一致するよう収容するが、この取付位置の決定方法について以下に説明する。
【００３０】
まず、設置箇所の温度に応じてアルミ受雷部１００の膨張率を計算する。なお、１つのアルミ受雷部１００の膨張率は２３．５×１０−６であるので、複数のアルミ受雷部１００の長さが１０ｍに対して、０．２３５ｍｍ／℃である。また、常温２０℃のときを±０ｍｍとする。
【００３１】
そして、上記計算結果に応じて伸縮端子用受雷部１０の上記伸縮端子への取付位置を決定する。そして、設置箇所の温度を調べて、その温度に対応する取付位置１２にケースの端部が一致するよう伸縮端子用受雷部１０を該ケース内に収納する。
【００３２】
以下に、伸縮端子の取付方法について説明する。
まず、屋上などの設置箇所の温度を調べる。例えば、設置箇所の温度が２０℃前後である場合、継手２０に接続固定されている伸縮端子用受雷部１０の上面に表示されている設定温度のうち、２０℃が表示されている取付位置１２にケースの端部が一致するよう伸縮端子をセットする。
【００３３】
そして、気温の変化によるアルミ受雷部１００の伸縮を吸収するために、Ｌ型伸縮端子３０はコーナー部分に設け、Ｉ型伸縮端子４０は直線部分に約３０ｍ毎に設ける。また、Ｔ型、十字型に分岐している場所では、Ｔ型伸縮端子５０、十字型伸縮端子６０をそれぞれ設ける。
【００３４】
また、設置箇所の温度が４０℃前後である場合、伸縮端子用受雷部１０の上面に表示されている設定温度のうち、４０℃が表示されている取付位置、つまり、伸縮端子用受雷部１０の端末側に対して上記２０℃の場合の位置から１つ内側にある位置と、ケースの端部が一致するよう、伸縮端子をセットする。
【００３５】
このような実施の形態１によれば、気温の変化による複数のアルミ受雷部１００の伸縮を吸収するための伸縮端子（Ｌ型、Ｉ型、Ｔ型、十字型）を用い、建造物の屋上やパラペットなどのコーナー部分に設置したり、直線部分などに３０ｍごとに設置したりするようにしたので、気温の変化による複数のアルミ受雷部１００の伸縮に影響されることのない雷保護システムを設置することができる。
【００３６】
【発明の効果】
以上のように、本発明の請求項１に記載の雷保護システムの伸縮端子によれば、雷撃を受け止めるための突針、及び該突針と電気的に接続される複数の受雷部を、その各々の間をそれぞれ接続端子を介して接続し、建造物を落雷から保護する雷保護システムの温度変化による伸縮を吸収する伸縮端子であって、該伸縮端子は、コ字状断面またはリップ溝形状断面を有する伸縮端子用受雷部と、該伸縮端子用受雷部と上記複数の受雷部とを接続する接続端子と、その開放端に上記接続端子に接続されている伸縮端子用受雷部を挿入して保持する筒型形状のケースと、を備えたものであるので、アルミ導線などを用いず、組立てるだけで良いので作業者の手間を大幅に削減することができるとともに、ケース内部の空間を利用して受雷部等の伸縮を吸収するので、導線を用いる伸縮端子よりもコンパクト化を図ることができる。
【００３７】
また、本発明の請求項２に記載の雷保護システムの伸縮端子によれば、請求項１に記載の雷保護システムの伸縮端子において、上記伸縮端子用受雷部の表面には、所定の温度範囲と該温度範囲内における上記伸縮端子の取付位置とが表示されており、上記伸縮端子は、上記雷保護システムの設置箇所の温度に基づいて決定された上記接続端子に接続されている伸縮端子用受雷部の表面に表示されている所定の取付位置と、上記ケースの開放端とが一致するよう取り付けられたものであるので、設置箇所の温度が分かれば、取付位置を目視により簡単に判断することができる。
【００３８】
また、本発明の請求項３に記載の雷保護システムの伸縮端子によれば、請求項１に記載の雷保護システムの伸縮端子において、上記ケースは、Ｉ型形状、Ｌ型形状、Ｔ型形状、十字型形状のいずれかであるようにしたので、さまざまな設置状況に対応させて伸縮端子を設置することができる。
【００３９】
また、本発明の請求項４に記載の雷保護システムの伸縮端子によれば、請求項１ないし請求項３のいずれか１項に記載の雷保護システムの伸縮端子において、該伸縮端子は、アルミニウム材の表面をアルマイト加工してなるものであることより、耐食性、及び表面の剛性を向上させることができる。
【図面の簡単な説明】
【図１】本発明の伸縮端子を構成する伸縮端子用受雷部を示す図であり、（ａ）は平面図、（ｂ）は正面図、（ｃ）は底面図、（ｄ）は側面図である。
【図２】本発明の伸縮端子を構成するＩ型継手を示す図であり、（ａ）は平面図、（ｂ）は正面図である。
【図３】本発明の伸縮端子を構成するＬ型ケースを示す図であり、（ａ）は平面図、（ｂ）は正面図、（ｃ）は右側面図である。
【図４】本発明の伸縮端子を構成するＩ型ケースを示す図であり、（ａ）は平面図、（ｂ）は正面図、（ｃ）は側面図である。
【図５】本発明の伸縮端子を構成するＴ型ケースを示す図であり、（ａ）は平面図、（ｂ）は正面図、（ｃ）は左側面図である。
【図６】本発明の伸縮端子を構成する十字型ケースを示す図であり、（ａ）は平面図、（ｂ）は正面図である。
【図７】本発明のＬ型伸縮端子を示す図であり、（ａ）は平面図、（ｂ）は正面図、（ｃ）はＡＡ´断面図である。
【図８】本発明のＬ型伸縮端子の施工図であり、（ａ）は平面図、（ｂ）は正面図である。
【図９】本発明のＩ型伸縮端子を示す図であり、（ａ）は平面図、（ｂ）は一部断面正面図、（ｃ）は側面図である。
【図１０】本発明のＩ型伸縮端子の施工図であり、（ａ）は平面図、（ｂ）は正面図である。
【図１１】本発明のＴ型伸縮端子を示す図であり、（ａ）は平面図、（ｂ）は正面図である。
【図１２】本発明のＴ型伸縮端子の施工図であり、（ａ）は平面図、（ｂ）は正面図である。
【図１３】本発明の十字型伸縮端子を示す図であり、（ａ）は平面図、（ｂ）は正面図である。
【図１４】本発明の十字型伸縮端子の施工図であり、（ａ）は平面図、（ｂ）は正面図である。
【図１５】従来の伸縮端子を示す図であり、（ａ）は平面図、（ｂ）はＡＡ´断面図、（ｃ）はＢＢ´断面図である。
【符号の説明】
１  ケース
２  軟性部材
３  連結金具
４  避雷銅線取付部
５  ボルト
６  固定ボルト
１０  伸縮端子用受雷部
１１  ネジ穴
１２  取付位置
１３  温度
１４  取付口
２０  継手
２１  皿ビス
３０  Ｌ型ケース
３１  取付口
４０  Ｉ型ケース
４１  取付口
５０  Ｔ型ケース
５１  取付口
６０  十字型ケース
６１  取付口
１００  アルミ受雷部
【図１】
2004266938.tif 000003
【図２】
2004266938.tif 000004
【図３】
2004266938.tif 000005
【図４】
2004266938.tif 000006
【図５】
2004266938.tif 000007
【図６】
2004266938.tif 000008
【図７】
2004266938.tif 000009
【図８】
2004266938.tif 000010
【図９】
2004266938.tif 000011
【図１０】
2004266938.tif 000012
【図１１】
2004266938.tif 000013
【図１２】
2004266938.tif 000014
【図１３】
2004266938.tif 000015
【図１４】
2004266938.tif 000016
【図１５】
2004266938.tif 000017